(57)【要約】持ち運び可能なビデオアクセサリ装置（１０）は、携帯情報端末（ＰＤＡ）といったハンドヘルドコンピュータ（３０）に対にされるよう適応される。ビデオアクセサリ装置は、ＰＤＡにビデオ再生及び記録機能を追加する。ビデオアクセサリ装置は、スモールフォームファクタ光（ＳＦＦＯ）ディスクの再生及び記録を制御可能であり、それにより、ＰＤＡが、「スマート」ディスプレイモジュールの容量で機能するようにする。ビデオアクセサリのビデオエンジン（１２）は、２５乃至５０ミリメートルのオーダの直径の光ディスクを再生可能なスモールフォームファクタ光（ＳＦＦＯ）ディスクドライバと共に実現され得る。スモールフォームファクタビデオエンジンは、ＰＤＡ装置と同様の寸法であり、これは、合わされたときに、２つの装置が単一の一体型ユニットのルックアンドフィールを有することを可能にする。
2006511901.tif 000002
【特許請求の範囲】
【請求項１】
ハンドヘルドコンピュータと共に使用するためのビデオアクセサリであって、
スモールフォームファクタ光（ＳＦＦＯ）ディスクの再生及び記録のための手段と、
前記ビデオアクセサリを前記ハンドヘルドコンピュータと合わせる手段と、
を有し、
前記ビデオアクセサリは、前記ハンドヘルドコンピュータと同様の寸法であるビデオアクセサリ。
【請求項２】
前記合わせる手段は、前記ビデオアクセサリが前記ハンドヘルドコンピュータに合わされたときに認識する認識手段を更に有する請求項１記載のビデオアクセサリ。
【請求項３】
前記ビデオアクセサリと前記ハンドヘルドコンピュータの組み合わせを制御するナビゲーション手段を更に有する請求項１記載のビデオアクセサリ。
【請求項４】
前記（ＳＦＦＯ）ディスクは、２５乃至５０ミリメートルのオーダの直径である請求項１記載のビデオアクセサリ。
【請求項５】
ハンドヘルドコンピュータと共に使用するためのビデオアクセサリであって、
前記ビデオアクセサリの動作を制御するプロセッサと、
前記プロセッサに結合され、スモールフォームファクタ光（ＳＦＦＯ）ディスクを再生するよう構成される光学エンジンと、
集積回路（ＩＣ）チップセットと、
入力／出力インタフェース手段と、
前記プロセッサに結合され、ユーザが、前記ハンドヘルドコンピュータのディスプレイ及び前記ビデオアクセサリに関連付けられる動作を制御可能にするよう構成されるナビゲーション手段と、
内部インタフェース手段と、
を有するビデオアクセサリ。
【請求項６】
前記入力／出力インタフェース手段は、ＵＳＢ２．０ポート及びｉＬｉｎｋのうちの１つである請求項５記載のビデオアクセサリ。
【請求項７】
前記ｉＬｉｎｋは、電気電子学会（ＩＥＥＥ）規格に従って動作する請求項６記載のビデオアクセサリ。
【請求項８】
前記ナビゲーション手段は、前記ハンドヘルドコンピュータの動作を制御する１つ以上の制御ボタンを有する請求項５記載のビデオアクセサリ。
【請求項９】
前記内部インタフェースは、ＡＴＡ／ＡＴＡＰＩ（ＩＤＥ）インタフェース、ＡＴＡＰＩ規格インタフェース、及びＳＣＳＩ（ＳＣＳＩ規格）インタフェースのうちの１つである請求項５記載のビデオアクセサリ。
【請求項１０】
前記ビデオアクセサリは、前記ハンドヘルドコンピュータと同様の寸法である請求項５記載のビデオアクセサリ。
【請求項１１】
前記ハンドヘルドコンピュータは、携帯情報端末（ＰＤＡ）である請求項５記載のビデオアクセサリ。
【請求項１２】
前記光学エンジンは、光学光路、ブルーレーザ、及び光検出器を有する請求項５記載のビデオアクセサリ。
【請求項１３】
前記プロセッサ、少なくとも１つの上記ディスクを有する前記光学エンジン、前記ＩＣチップセット、前記ディスプレイ手段、前記入力／出力インタフェース手段を収容するハウジングを更に有する請求項５記載のビデオアクセサリ。
【発明の詳細な説明】
【技術分野】
【０００１】
本発明は、携帯情報端末（ＰＤＡ）に取り付けられるビデオアクセサリ装置に係る。
【背景技術】
【０００２】
携帯情報端末（ＰＤＡ）は、それらがより効果的且つよりコンパクトになるにつれて、ますます普及している。ハンドヘルドユニットは、インフォメーションテクノロジー及び医療から営業及び保守に及ぶ分野の人々が受け入れているため、個人及びビジネスでの使用に対し爆発的に人気が出ている。今後３年間において、ワイヤレスハンドヘルド市場は、１０億人以上のユーザに成長すると推定されている。従って、企業は、これらの可動式ハンドヘルド装置のためのアプリケーション及びアクセサリを設計し続けることは驚くべきことではない。
【０００３】
例えば、カリフォルニア州のマウンテンビューにおけるハンドスプリング（商標）社（Handspring  Corporation）といった企業は、ＰＤＡ装置、即ち、拡張スロットを有する８ＭＢのVisor  Proモデルを導入した。この拡張スロットは、Visor  Proが、デジタルカメラ、携帯電話、ワイヤレスインターネット装置、及びＭＰ３プレイヤとなることを可能にする。別の例は、ハンドエラ（商標）社（HandEra  Corporation）からのTRGproで有り、これは、パーム（商標）オペレーティングシステムを使用した大企業用の人気のあるハンドヘルドを導入した。TRGproは、内蔵型コンパクトフラッシュ（登録商標）（ＣＦ）スロット及びエンハンスドオーディオといった特徴を有する。ＣＦスロットは、スライドショー表示機能を供給する。コンパック（商標）社（Compaq  Corporation）からのCompaq  Ipag  H3650  pocket  PCは、メモリカードの追加、又は、イーサネット（登録商標）カード、モデム、又はＷｉ−Ｆｉカードといった入力／出力装置のための２つの内蔵型拡張スロットを提供する。将来を考慮に入れた他のアドオンには、ＧＰＳパック、携帯電話パック、モデムパック等が含まれる。
【０００４】
以上から分かるように、ＰＤＡは、現在、その中心の機能性に加えて様々なアプリケーションのための機能を提供する。データ記憶装置及び再生に特に関して、ＰＤＡは、現在、一部の半導体記憶装置（例えば、コンパクトフラッシュ（登録商標））を提供する。これらの記憶装置ソリューションの不利点は、１メガバイト当たりの記憶媒体の費用が比較的高いことである。対照的に、従来の光記憶装置は、半導体記憶装置に対して本質的に低い媒体費用を提供する。更に、ブルーレーザ及び相変化記録に基づいた第３世代の光記憶装置技術は、半導体記憶装置が現在提供可能である最大容量をはるかに超える記憶容量を提供する。例えば、現在、２７ギガバイトを、ブルーレイ規格を用いて１２センチメートルの光ディスク上に記憶可能である。スモールフォームファクタ光学ドライブ（ＳＦＦＯ）に対しこのデータ密度を用いると、１ギガバイト以上の記憶容量が、３センチメートルの光ディスク上で実現可能となる。この明確な利点にも関わらず、現在のＰＤＡ設計は、このような光記憶媒体に対応しない。
【０００５】
光記憶装置が、例えば、フラッシュ及びハードディスクといった他の可動記憶装置ソリューションに対して光記憶装置が有する大きな利点は、コンテンツ分配のために、プレマスタリングされたＲＯＭ、ＣＤ、ＤＶＤ、及びビデオオーディオＣＤ及びＤＶＤ、選択した媒体を作成した予め記録されたコンテンツの容易及び安価な複製である。このようなスモールフォームファクタ光記憶ドライブが、市場に浸透すれば、小さいディスク上のビデオ及びオーディオのプリレコードコンテンツは、既存の形式から相当なマーケットシェアを取り上げると期待される。
【発明の開示】
【発明が解決しようとする課題】
【０００６】
従って、ＰＤＡにビデオ再生及び記録機能を追加するためにＰＤＡに容易にインタフェースされることが可能である、第３世代の光記憶媒体を使用可能なスタンドアロンのビデオアクセサリが必要である。
【課題を解決するための手段】
【０００７】
本発明では、携帯情報端末（ＰＤＡに容易）といったハンドヘルドコンピュータに結合される（合わせられる）よう適応されるビデオアクセサリ装置を提供する。ビデオアクセサリ装置は、ビデオ再生及び記録機能を、ＰＤＡに追加する。
【０００８】
本発明の１つの面では、ビデオアクセサリ装置は、スモールフォームファクタ光（ＳＦＦＯ）ディスクの再生及び記録を制御可能であり、それにより、ＰＤＡが、「スマート」ディスプレイモジュールの容量で機能するようにする。
【０００９】
別の面では、ＰＤＡに容易は、ＳＦＦＯディスクの再生を開始及び終了するための信号を供給して、ビデオアクセサリを制御する。
【００１０】
ＰＤＡは、ＰＤＡとビデオアクセサリが合わされていることを認識することが非常に好適であり、それにより、ＰＤＡが、アクセサリ制御モードに切り替わることを可能にする。このモードでは、ディスプレイ装置は、ビデオアクセサリのＩ／Ｏ回路を介してユーザにビデオ情報を提示するよう構成される。
【００１１】
１つの好適な実施例では、ビデオアクセサリのビデオエンジンは、２５乃至５０ミリメートルのオーダの直径の光ディスクを再生可能なスモールフォームファクタ光（ＳＦＦＯ）ディスクドライバと共に実現され得る。スモールフォームファクタビデオエンジンは、ＰＤＡ装置と同様の寸法であり、これは、合わされたときに、２つの装置が単一の一体型ユニットのルックアンドフィールを有することを可能にする。
【発明を実施するための最良の形態】
【００１２】
本発明の方法及び装置のより完全な理解は、添付図面と共に行う以下の詳細な説明を参照することによって得られるであろう。
【００１３】
以下の本発明の詳細な説明では、本発明の十分な理解を与えるよう多数の特定の詳細を記載する。しかし、当業者には、本発明は、これらの特定の詳細がなくても実施し得ることは明らかであろう。一部の場合において、周知の構造及び装置は、本発明を曖昧にすることを回避するために、詳細にではなくブロック図形式で示す。
【００１４】
携帯情報端末（ＰＤＡに容易）３０と接続状態にある本発明のビデオアクセサリ装置１０を示す斜視図である図１を参照する。本願に記載する実施例では、ＰＤＡは、スタンドアロンの持ち運び可能な携帯情報端末ユニットを意味する。しかし、ＰＤＡは、実際には、他のハンドヘルドコンピュータを表し得ることを理解するものとする。
【００１５】
図２は、ＰＤＡ装置３０と１つの実施例による本発明のビデオアクセサリ装置１０の構成要素を示すブロック図である。図２のＰＤＡ装置３０は、そのハードウェアコンテンツ及び配置は従来通りである。
【００１６】
この実施例では、ＰＤＡ３０は、プロセッサ３１を有する。プロセッサ３１は、例えば、マイクロコントローラユニット（ＭＣＵ）である。プロセッサ３１は、Ｉ／Ｏ（入力／出力）手段３９に関連付けられるＩ／Ｏ機能を含む機能を制御する。プロセッサ３１は、内部メモリ３３と外部メモリ３５に結合するとして示される。内部メモリ３３は、不揮発性メモリ（例えば、ＲＡＭ又はＲＯＭ）に対応し、外部メモリ３５は、揮発性メモリ（例えば、フラッシュメモリ）に対応し得る。プロセッサ３１は、ディスプレイ装置３７（従来通りＬＣＤスクリーンである）上の画像を作成するようデータを構成するディスプレイドライバ３６に結合される。ＰＤＡ装置３０は更に、ＵＳＢ２．０ポート又はｉＬＩＮＫ１３９４ポート、ユーザがＰＤＡ装置３０及びビデオアクセサリ装置１０の動作を制御することを可能にする１つ以上の制御ボタンであり得る入力／出力（Ｉ／Ｏ）インタフェース３９を有する。ＰＤＡ３０は更に、例えば、ＡＴＡ／ＡＴＡＰＩ（ＩＤＥ）インタフェース、ＡＴＡＰＩ規格インタフェース、ＳＣＳＩ（ＳＣＳＩ規格）インタフェース等であり得る内部インタフェース３８を有する。
【００１７】
本発明の別の特徴は、ビデオアクセサリ装置１０の寸法である。図１に示すように、本発明のビデオアクセサリ装置１０は、ビデオアクセサリ装置１０とＰＤＡ３０が対にされると、それらが単一の一体型装置のルックアンドフィールを有するようＰＤＡ３０と同様の寸法であることが好適である。
【００１８】
本発明のビデオアクセサリ装置１０は、一般的に、スモールフォームファクタ光学ドライブ（ＳＦＦＯ）として具現化される光学エンジン１２を有し、このドライブは、実質的に２５ミリメートル乃至５０ミリメートルの直径を有するＳＦＦＯ光ディスクの再生及び記録をサポートする回路を有する。本発明のビデオアクセサリ装置１０は、光学光路、例えば、ブルーレーザであるレーザ、及び光検出器から構成される。レーザビームは、フォーカシング及びトラッキングアクチュエータ内に配置される強力な対物レンズを用いて回転ディスク上にフォーカスされる。このために、光学光路は、フォーカシング及びトラッキングエラー信号を生成し、高周波データ信号が前置増幅され、また、従って、処理され、それにより、アプリケーションによって使用可能なエラーフリービットストリームを生成する。ＩＣチップセット１４は、特に、レーザドライバ、アクチュエータドライバ、スピンドルモータドライバ、サーボ機能専用のプロセッサ、及び、データ経路のための汎用プロセッサ（例えば、ＭＩＰＳ）を有する。ビデオアクセサリ装置１０は更に、ＵＳＢ２．０ポート又はｉＬＩＮＫ１３９４ポートであり得るＩ／Ｏインタフェース１６を有する。ビデオアクセサリ装置１０は更に、小規模のユーザインタフェース２０上でアクティブにされたコマンドを見るための小さいディスプレイ１８を有する。
【００１９】
Ａ．ＰＤＡとビデオアクセサリ装置のインタフェーシング
各装置１０、３０は、例えば、コンパクトフラッシュ（登録商標）（ＣＦ）インタフェース、ＰＣＭＣＩＡ等であり得る外部インタフェース２４、４３を必要とする。或いは、外部インタフェース２４、４３は、Ｐａｌｍ（商標）又はＩＰａｑ（商標）インタフェースといったメーカ独自のインタフェースであることも可能である。高速データリンク（例えば、インタフェース）を可能にするための上述したこれらの標準「メモリ」インタフェース接続に加えて、ｉ−ｌｉｎｋ（ＩＥＥＥ１３９４）又はＵＳＢ２．０といったインタフェースを用いてもよい。現在、９０パーセントのデジタルカメラには、高速ｉ−ｌｉｎｋインタフェースが具備される。ビデオアクセサリ装置１０を、ｉ−ｌｉｎｋを介してデジタルカメラに接続することは、高速転送を可能にすることが考えられる。本発明は更に、ブロードバンド接続が具備されるパーソナルコンピュータ（ＰＣ）を介してインターネットからのマルチメディアの高速ダウンロードを可能にするために、ＵＳＢ２．０インタフェースを使用することも考える。
【００２０】
本願で使用するように、「外部インタフェース」という用語は、ＰＤＡ３０は、ＰＤＡ３０とビデオアクセサリ装置１０間のデータ交換といった論理リンクをもたらすよう上述した１つ以上のインタフェース技術を用いて、ビデオアクセサリ装置１０に外部的に結合されることを意味するよう定義される。即ち、任意の必要なプロトコルネゴシエーションが検討され、各装置は、もう一方の装置の存在を、論理的に／プログラム的に、「認識」する。
【００２１】
Ｂ．第１の動作実施例
ビデオアクセサリ装置１０は、ＰＤＡ３０に自由に接続される（及びＰＤＡ３０から自由に取り外される）ことが可能である。従って、ビデオアクセサリ装置１０及びＰＤＡ装置３０は、接続されたときに、互いと容易に通信することが可能にされる。
【００２２】
図３ａは、ビデオアクセサリ装置１０とＰＤＡ３０間のデータ伝送の第１の実施例を示す。データ転送を開始するために、ホストとして機能するＰＤＡ３０の制御ユニット３１は、１つ以上の特定の情報ブロックを読み出しする又は１つ以上の特定の情報ブロックに書き込みする（Ｒ／Ｗ）ようビデオアクセサリ装置１０に制御コマンド６０を与える。
【００２３】
この実施例は、ビデオアクセサリ装置１０が、ホストＰＤＡ３０から与えられた制御コマンドに応答して機能（例えば、読み出し、書き込み）を行う「スレーブ」ユニットとして機能する組み合わせ装置の従来の使用法と考えられる。
【００２４】
この実施例では、例えば、「再生」、「巻き戻し」、「早送り」、「停止」、及び「記録」といったビデオアクセサリ装置１０を制御する所望の制御機能をユーザが実行することを可能にするようＰＤＡ３０のナビゲーション手段４１がアクティブにされる。更に、ＰＤＡ３０のナビゲーションユニット４１がアクティブにされる結果、ビデオアクセサリ装置１０のナビゲーション手段２０は非アクティブにされる。
【００２５】
この実施例では、ビデオアクセサリ装置１０の外部インタフェース２４は、任意の標準インタフェースであり得る。例えば、外部インタフェース２４は、コンパクトフラッシュ（登録商標）（ＣＦ）インタフェース、又は、ＰＣＭＣＩＡインタフェースとして実施され得る。
【００２６】
Ｃ．第２の動作実施例
図３ｂは、ビデオアクセサリ装置１０とＰＤＡ３０間のデータ伝送の第２の実施例を示す。この実施例では、ビデオアクセサリ装置１０が、ホストとして機能し、ＰＤＡ３０が、「スレーブ」装置として機能する。この実施例では、ビデオアクセサリ装置１０のナビゲーション手段２０がアクティブにされ、それにより、ユーザが、例えば、「再生」、「巻き戻し」、「早送り」、「停止」、及び「記録」といったＰＤＡ装置３０を制御する所望の制御機能を実行することを可能にする。更に、ビデオアクセサリ装置１０のナビゲーション手段２０がアクティブにされる結果、ＰＤＡ３０のナビゲーション手段４１は非アクティブにされる。この実施例では、ＰＤＡ３０は、ホストのビデオアクセサリ装置１０に対し「スマート」ディスプレイとしてのみ機能する。
【００２７】
図３ｂに示すように、制御コマンド６２は、ビデオアクセサリ装置１０からＰＤＡ３０に、インタフェース２４及び４３を介して送られる。この実施例では、ビデオアクセサリ装置１０からＰＤＡ３０へのデータの流れ８４があり、それにより、ＰＤＡ３０は、ビデオアクセサリ装置１０からＰＤＡ３０上で表示するためのマルチメディアデータを受信する。
【００２８】
本発明及びその利点を詳細に説明したが、請求項に定義される本発明の精神及び範囲から逸脱することなく様々な修正、置換、及び変更が可能であることを理解すべきである。
【００２９】
要約すると、最小の努力でハンドヘルド式コンピュータ（例えば、ＰＤＡ）とインタフェースするビデオアクセサリを開示した。このビデオアクセサリは、ビデオ再生／記録機能を、ハンドヘルド式コンピュータに供給する。
【００３０】
上述は、本発明の例示的な実施例としてのみ構成される。当業者は、本発明の基本的な原理及び範囲からの逸脱なくこの実施例に類似の機能を与える配置を容易に考えることが可能である。
【図面の簡単な説明】
【００３１】
【図１】本発明の教示内容に従って構成され、携帯情報端末に物理的及び電気的に接続されるビデオアクセサリ装置が取り付けられた該携帯情報端末の１つの実施例を示す図である。
【図２】ＰＤＡ装置と本発明の好適な実施例によるビデオアクセサリ装置における様々な機能ブロックを示す図である。
【図３ａ】ビデオアクセサリ装置とＰＤＡ間のデータ転送の第１の実施例を示す図である。
【図３ｂ】ビデオアクセサリ装置とＰＤＡ間のデータ転送の第２の実施例を示す図である。
【図１】
2006511901.tif 000003
【図２】
2006511901.tif 000004
【図３ａ】
2006511901.tif 000005
【図３ｂ】
2006511901.tif 000006
【国際調査報告】
2006511901.tif 000007
2006511901.tif 000008
2006511901.tif 000009